(57)【特許請求の範囲】
【請求項１】
第１光学系を有する第１レンズ鏡筒と、
第２光学系を有する第２レンズ鏡筒と、
焦点調整軸の操作により軸方向に移動し、前記第１光学系を移動させるための第１部分、及び前記第２光学系に接続される第２部分を備える移動部材と、
視度差調整軸に対して回転を規制されかつ軸方向に移動可能に設けられ、前記第１部分と当接して、前記軸方向に関して前記第１部分の移動を規制する係止部を備える駆動部材と、
前記視度差調整軸による前記駆動部材の回転により軸方向に移動し、前記第１光学系に接続される接続部材と、を備え、
前記第１部分は、前記駆動部材によって前記焦点調整軸の軸方向まわりの一方向に回転が規制される、双眼鏡。
【請求項２】
前記駆動部材は、前記視度差調整軸の回転により一体となって回転する、請求項１に記載の双眼鏡。
【請求項３】
前記係止部は、前記視度差調整軸の軸周りに前記駆動部材の外周に形成された溝部であり、
前記第１部分は、前記溝部の接線方向に延びた状態で前記溝部に入り込む板状に形成される、請求項１または請求項２に記載の双眼鏡。
【請求項４】
前記焦点調整軸と前記視度差調整軸とは平行に配置される、請求項１から請求項３のいずれか１項に記載の双眼鏡。
【請求項５】
前記焦点調整軸は、前記第１レンズ鏡筒と前記第２レンズ鏡筒との間のほぼ中央に配置される、請求項４に記載の双眼鏡。
【請求項６】
前記視度差調整軸は、前記焦点調整軸と前記第１レンズ鏡筒との間に配置される、請求項５に記載の双眼鏡。
【請求項７】
前記視度差調整軸を回転させるための操作部は、接眼レンズと反対側に配置される、請求項１から請求項６のいずれか１項に記載の双眼鏡。
【請求項８】
前記焦点調整軸を操作するための操作部と、前記視度差調整軸を回転させるための操作部とは、軸方向に離れた状態で配置される、請求項１から請求項７のいずれか１項に記載の双眼鏡。
【請求項９】
前記駆動部材または前記接続部材を前記視度差調整軸に対して軸方向に押し付ける弾性部材を備える、請求項１から請求項８のいずれか１項に記載の双眼鏡。
【請求項１０】
前記第１レンズ鏡筒及び前記第２レンズ鏡筒は、両者間に配置されたブリッジにそれぞれ回転可能に取り付けられ、
前記ブリッジ内に、少なくとも前記焦点調整軸、前記移動部材、前記視度差調整軸、及び前記駆動部材を収容する、請求項１から請求項９のいずれか１項に記載の双眼鏡。
【請求項１１】
前記ブリッジは、前記第２部分の回転を規制する部分を有する、請求項１０に記載の双眼鏡。
【請求項１２】
前記接続部材は、前記第１レンズ鏡筒が前記ブリッジに対して回転するのを許容し、かつ、前記視度差調整軸の軸方向に前記駆動部材とともに移動する構造を備え、
前記移動部材の前記第２部分は、前記第２レンズ鏡筒が前記ブリッジに対して回転するのを許容し、かつ、前記焦点調整軸の軸方向に前記移動部材とともに移動する構造を備える、請求項１０または請求項１１に記載の双眼鏡。
【請求項１３】
第１光学系を有する第１レンズ鏡筒と、
第２光学系を有する第２レンズ鏡筒と、
焦点調整軸の操作により軸方向に移動し、前記第１光学系を移動させるための第１部分、及び前記第２光学系に接続される第２部分を備える移動部材と、
視度差調整軸に対して回転を規制されかつ軸方向に移動可能に設けられ、前記第１部分と当接して前記軸方向に関して前記第１部分の移動を規制する係止部を備える駆動部材と、
前記視度差調整軸による前記駆動部材の回転により軸方向に移動し、前記第１光学系に接続される接続部材と、を備え、
前記第１レンズ鏡筒及び前記第２レンズ鏡筒は、それぞれ前記焦点調整軸を中心として回転可能に連結され、
前記第１部分は、前記焦点調整軸に対して回転可能である、双眼鏡。
【請求項１４】
前記接続部材の一部は、前記視度差調整軸と平行な軸を中心として回転可能である、請求項１３に記載の双眼鏡。
【発明の詳細な説明】
【技術分野】
【０００１】
本発明は、双眼鏡に関する。
【背景技術】
【０００２】
双眼鏡には、例えば、センターフォーカス式などの合焦機構が設けられる。合焦機構は、例えば、中央ブリッジに設けられる一つの合焦環の操作によって、合焦を左右両方の光学系で連動して同時に行う。また、ユーザの視力が両目で一致していないことが多く、双眼鏡には、左右の視度差を調整する視度差調整機構が設けられる。例えば、視度差調節機構としては、右側の接眼レンズの位置をヘリコイド機構により変位させるものが広く用いられている。この場合、ユーザは、まず左目に合わせて中央の合焦環で焦点合わせをし、次に右手を持ち替えて視度差調節環を回して視度差を調整するため、操作性が煩雑で不便である。【０００３】
そこで、他の視度差調節機構を有する双眼鏡が提案されている（例えば、下記特許文献１参照）。特許文献１に開示される双眼鏡は、左右の鏡筒を連結するブリッジ部に、焦点調整用ホイールと、視度差調整用ホイールと、主軸とを備える。主軸は、基部側の軸と先端側の軸からなり、基部側の軸と先端側の軸とは、ねじ同士の噛み合いにより軸方向に連結される。基部側の軸は、焦点調整用ホイールとねじ嵌合し、先端側の軸は視度差調整用ホイールとねじ嵌合している。焦点調整用ホイールを回転させると、主軸の全体が軸方向に移動し、視度差調整用ホイールを回転させると、先端側の軸が基部側の軸に対して軸方向に繰り出される。また、左右の鏡筒にそれぞれ配置された対物レンズのうち、一方は基部側の軸に連結され、他方は先端側の軸に連結されている。焦点調整用ホイールを回転させると、主軸全体が一体となって軸方向に移動し、左右の対物レンズがともに光軸方向に移動して焦点調整を行うことができる。また、視度差調整用ホイールを回転させると、主軸の先端側の軸のみが軸方向に繰り出され、先端側の軸に連結されている対物レンズが光軸方向に移動し、視度調整を行う。しかしながら、特許文献１に開示される双眼鏡は、構造が複雑である。
【先行技術文献】
【特許文献】
【０００４】
【特許文献１】特開平３−１６３５１２号公報
【発明の概要】
【０００５】
上述のような双眼鏡は、構造がシンプルで、操作性がよいことが望まれる。例えば、双眼鏡において、複雑な構造は製造コストの増加を招く傾向にある。
【課題を解決するための手段】
【０００６】
本発明の態様に従えば、第１光学系を有する第１レンズ鏡筒と、第２光学系を有する第２レンズ鏡筒と、焦点調整軸の操作により軸方向に移動し、第１光学系を移動させるための第１部分、及び第２光学系に接続される第２部分を備える移動部材と、視度差調整軸に対して回転を規制されかつ軸方向に移動可能に設けられ、第１部分と当接して、軸方向に関して、第１部分の移動を規制する係止部を備える駆動部材と、視度差調整軸による駆動部材の回転により軸方向に移動し、第１光学系に接続される接続部材と、を備え、第１部分は、駆動部材によって焦点調整軸の軸方向まわりの一方向に回転が規制される、双眼鏡が提供される。【０００７】
また、本発明の他の態様に従えば、第１光学系を有する第１レンズ鏡筒と、第２光学系を有する第２レンズ鏡筒と、焦点調整軸の操作により軸方向に移動し、第１光学系を移動させるための第１部分、及び第２光学系に接続される第２部分を備える移動部材と、視度差調整軸に対して回転を規制されかつ軸方向に移動可能に設けられ、第１部分と当接して軸方向に関して第１部分の移動を規制する係止部を備える駆動部材と、視度差調整軸による駆動部材の回転により軸方向に移動し、第１光学系に接続される接続部材と、を備え、第１レンズ鏡筒及び第２レンズ鏡筒は、それぞれ焦点調整軸を中心として回転可能に連結され、第１部分は、焦点調整軸に対して回転可能である、双眼鏡が提供される。
【図面の簡単な説明】
【０００８】
【図１】第１実施形態に係る双眼鏡を−Ｚ方向から見た図である。
【図２】双眼鏡を−Ｙ方向から見た図である。
【図３】図２に示すＡ−Ａ線に沿った断面を−Ｚ方向から見た断面図である。
【図４】双眼鏡の各部材を示す図であり、（Ａ）は移動部材、（Ｂ）は駆動部材、（Ｃ）は接続部材を示す。
【図５】図２に示すＢ−Ｂ線に沿った断面を−Ｚ方向から見た断面図である。
【図６】図２に示すＣ−Ｃ線に沿った断面を−Ｚ方向から見た断面図である。
【図７】図１に示すＤ−Ｄ線に沿った断面を−Ｙ方向から見た断面図である。
【図８】図１に示すＥ−Ｅ線に沿った断面を−Ｙ方向から見た断面図である。
【図９】図１に示すＦ−Ｆ線に沿った断面を−Ｙ方向から見た断面図である。
【図１０】双眼鏡の焦点調整の動作を示す図である。
【図１１】双眼鏡の視度差調整の動作を示す図である。
【図１２】第２実施形態に係る双眼鏡の断面を＋Ｚ方向から見た図である。
【図１３】双眼鏡の外観を＋Ｙ方向から見た図である。
【図１４】図１２に示すＧ−Ｇ線に沿った断面を＋Ｙ方向から見た断面図である。
【図１５】図１２に示すＨ−Ｈ線に沿った断面を＋Ｙ方向から見た断面図である。
【図１６】図１２に示すＩ−Ｉ線に沿った断面を＋Ｙ方向から見た断面図である。
【図１７】双眼鏡の焦点調整の動作を示す図である。
【図１８】双眼鏡の視度差調整の動作を示す図である。
【発明を実施するための形態】
【０００９】
［第１実施形態］
第１実施形態について説明する。以下の説明において、適宜、図１などに示すＸＹＺ直交座標系を参照する。このＸＹＺ直交座標系は、Ｘ方向およびＹ方向が水平方向（横方向）であり、Ｚ方向が鉛直方向である。また、各方向において、適宜、矢印の先端と同じ側を＋側（例、＋Ｚ側）、矢印の先端と反対側を−側（例、−Ｚ側）と称す。例えば、鉛直方向（Ｚ方向）において、上方が＋Ｚ側であり、下方が−Ｚ側である。
【００１０】
図１は、第１実施形態に係る双眼鏡１を−Ｚ側（下側）から見た図である。双眼鏡１は、ブリッジ２と、第１レンズ鏡筒３と、第２レンズ鏡筒４と、焦点調整部５と、視度差調整部６と、を備える。ブリッジ２は、双眼鏡１の中央部分に配置される。ブリッジ２は、双眼鏡１の各部を支持し、また、双眼鏡１の各部を収容する。ブリッジ２は、少なくとも焦点調整軸２０、移動部材２２、視度差調整軸５３、及び駆動部材２３を収容する。第１レンズ鏡筒３及び第２レンズ鏡筒４は、それぞれ、軸ＡＸ１（中心軸）に対して対照に、ブリッジ２の右側、ブリッジ２の左側に配置される。
【００１１】
図２は、双眼鏡１を−Ｙ側から見た図である。第１レンズ鏡筒３は、Ｙ方向と平行な軸ＡＸ２を軸として、ブリッジ２に対して回転可能である。第１レンズ鏡筒３は、例えば、軸ＡＸ２上に設けられる２つのピボット８（後に図５に示す）を介して、ブリッジ２に取り付けられる。第２レンズ鏡筒４は、Ｙ方向と平行な軸ＡＸ３を軸として、ブリッジ２に対して回転可能である。第２レンズ鏡筒４は、例えば、軸ＡＸ３上に設けられる２つのピボット９（後に図５に示す）を介して、ブリッジ２に取り付けられる。双眼鏡１は、第１レンズ鏡筒３及び第２レンズ鏡筒４を、それぞれ、ブリッジ２に対して回転させることにより、眼幅の調整あるいは折り畳みが可能である。
【００１２】
次に、双眼鏡１の光学系について説明する。図３は、図２に示すＡ−Ａ線に沿った断面を−Ｚ方向から見た断面図である。図３に示すように、第１レンズ鏡筒３は、第１光学系１２を有する。第１レンズ鏡筒３は、第１光学系１２を内部に保持する。第１光学系１２は、例えば、複数の対物レンズ１３、複数の接眼レンズ１４、合焦レンズ１５及び正立プリズム１６を含む。
【００１３】
複数の対物レンズ１３には観察対象の物体から光が入射し、複数の対物レンズ１３は、この光を合焦レンズ１５に導く。合焦レンズ１５は、第１光学系１２の焦点位置、焦点距離を調整する。合焦レンズ１５は、例えば、対物レンズ１３と接眼レンズ１４との間の光路に配置される。合焦レンズ１５は、第１レンズ鏡筒３内を光軸ＡＸ４と同じ方向に移動可能に合焦レンズ保持部１７に保持される。合焦レンズ１５は、焦点調整部５によって光軸ＡＸ４の方向に移動し、第１光学系１２の焦点を調整する。また、合焦レンズ１５は、視度差調整部６によって光軸ＡＸ４方向に移動し、視度差を調整する。正立プリズム１６は、対物レンズ１３により形成される倒立像を正立像に変換する。正立プリズム１６は、例えば、合焦レンズ１５と接眼レンズ１４との間の光路に配置される。ユーザは、正立プリズム１６により変換された正立像を、接眼レンズ１４を介して観察可能である。
【００１４】
第２レンズ鏡筒４は、第２光学系１８を有する。第２レンズ鏡筒４は、第２光学系１８を内部に保持する。第２レンズ鏡筒４は、第１光学系１２と同様に、複数の対物レンズ１３、複数の接眼レンズ１４、合焦レンズ１５及び正立プリズム１６を含む。第２光学系１８の合焦レンズ１５は、焦点調整部５によって光軸ＡＸ５の方向に移動し、第２光学系１８の焦点を調整される。
【００１５】
なお、第１光学系１２及び第２光学系１８は、それぞれ、正立プリズム１６を備えなくてもよく、例えばリレー光学系などにより倒立像を正立像に変換してもよい。また、合焦レンズ１５は、複数の光学部品（例、レンズ部材、反射部材）を含んでもよい。また、第１光学系１２及び第２光学系１８は、像の倍率を変更するズーム光学系を含んでいてもよく、合焦レンズ１５は、像の倍率の変更に利用されてもよい。
【００１６】
図１の焦点調整部５は、第１光学系１２及び第２光学系１８の焦点を調整する。焦点調整部５は、例えば、焦点調整軸２０、操作部２１、移動部材２２と、駆動部材２３と、接続部材２４と、を備える。以下、焦点調整部５の説明において、適宜図１および図３〜図９を参照する。図４は、双眼鏡１の各部材を示す図であり、（Ａ）は移動部材、（Ｂ）は駆動部材、（Ｃ）は接続部材を示す。図５は、図２に示すＢ−Ｂ線に沿った断面を−Ｚ方向から見た断面図である。図６は、図２に示すＣ−Ｃ線に沿った断面を−Ｚ方向から見た断面図である。図７は、図１に示すＤ−Ｄ線に沿った断面を−Ｙ方向から見た断面図である。図８は、図１に示すＥ−Ｅ線に沿った断面を−Ｙ方向から見た断面図である。図９は、図１に示すＦ−Ｆ線に沿った断面を−Ｙ方向から見た断面図である。
【００１７】
焦点調整軸２０（図１参照）は、例えば、ブリッジ２に収容され、第１レンズ鏡筒３と第２レンズ鏡筒４との間のほぼ中央に配置される。焦点調整軸２０は、例えば、Ｙ方向に平行な軸ＡＸ１（中心軸）と同軸に配置される（図１、図７参照）。操作部２１は、焦点が調整される際に、焦点調整軸２０を回転させる操作をユーザが行う部分である。操作部２１は、例えば、ブリッジ２の＋Ｙ側（接眼レンズ１４側）に配置される。操作部２１は、焦点調整軸２０と同軸に配置され、焦点調整軸２０と同軸に回転可能である（図１、図７参照）。操作部２１は、ねじ山２８（図６参照）を有し、ネジ山２８は、焦点調整軸２０のねじ山２７と噛み合わされる。操作部２１の回転により、操作部２１のねじ山２８が回転し、焦点調整軸２０は、軸ＡＸ１の方向（Ｙ方向と平行な方向）に移動する（後に図１０で説明する）。
【００１８】
図４（Ａ）に示す移動部材２２は、第１光学系１２を移動させるための第１部分２９と、第２光学系１８に接続され、第２光学系１８を移動させるための第２部分３０と、を備える。移動部材２２は、締結部材３１により焦点調整軸２０に取り付けられている。移動部材２２は、焦点調整軸２０の操作により軸ＡＸ１の方向に移動する。
【００１９】
図４（Ａ）に示す第１部分２９は、例えば、軸ＡＸ１の＋Ｘ側に配置される。第１部分２９は、焦点調整軸２０と駆動部材２３とを接続する。第１部分２９は、例えば、駆動部材２３の溝部３３に接続される（図８参照）。例えば、第１部分２９は、溝部３３の接線方向に延びた状態で溝部３３に入り込む板状に形成される（図８参照）。第１部分２９は、例えば、焦点調整軸２０から離れる方向の端部が、焦点調整軸２０に近づく方向の端部に対して、下方（＋Ｚ方向）に曲がるように形成され、この焦点調整軸２０から離れる方向の端部が溝部３３の接線方向に延びた状態で溝部３３の下方の部分に入り込んでいる。第１部分２９がこのように形成される場合、双眼鏡１を製造する際において、第１部分２９を簡単に配置することができるため、双眼鏡１の製造を簡単にすることができる。第１部分２９が焦点調整軸２０の移動とともに軸ＡＸ１の方向に移動すると、駆動部材２３も軸ＡＸ１の方向に移動する。なお、第１部分２９が第１光学系１２を移動させる動作については、後に図１０を参照して説明する。また、図８に示すように、第１部分２９は、焦点調整軸２０の軸ＡＸ１方向まわりの一方向に回転が規制される。第１部分２９は、例えば、上記したように、その焦点調整軸２０から離れる方向の端部が溝部３３の接線方向に延びた状態で溝部３３の下方の部分に入り込んでいるので、第１部分２９は、焦点調整軸２０の軸ＡＸ１方向まわりにおける−Ｙ方向から見た（対物レンズ１３方向から見た）時計回りの回転が規制される。このように、第１部分２９は、駆動部材２３のＡＸ１方向に移動させる役割を有するとともに操作部２１の操作による焦点調整軸２０の回転の供回り防止の役割を有している。第１部分２９は、上記した駆動部材２３のＡＸ１方向に移動させる役割と焦点調整軸２０の回転による供回り防止の役割との２つの役割を有する場合、この２つの役割を別々の部品で構成する場合よりも部品の数を削減することができるため、双眼鏡１の構成を単純にすることができる。
【００２０】
図４（Ａ）に示す第２部分３０は、例えば、部分３５と、部分３６と、部分３７と、を有する。部分３５は、第１部分２９と一体に形成され、Ｘ方向に延びている。部分３６は、例えば、締結部材３１により部分３５の−Ｘ側に接続される。部分３７は、例えば、焦点調整軸２０と平行な軸ＡＸ３（Ｙ方向と平行な軸）を中心として、回転可能である（図９参照）。部分３７は、例えば、＋Ｘ側の端部が軸ＡＸ３を中心として部分３６と回転可能に接続され、−Ｘ側の端部が合焦レンズ保持部１７に接続される。第２部分３０は、焦点調整軸２０の軸ＡＸ１方向に移動部材２２とともに移動し、第２光学系１８の合焦レンズ保持部１７も軸ＡＸ５方向に移動する（後に図１０（Ｂ）で説明する）。
【００２１】
また、部分３７が部分３６に対して焦点調整軸２０と平行な軸ＡＸ３を中心として回転可能である場合、移動部材２２は、第２レンズ鏡筒４がブリッジ２に対して回転するのを許容する。第２レンズ鏡筒４をブリッジ２に対して回転する際に、部分３７は部分３６に対して回転し、部分３６と合焦レンズ保持部１７との接続を維持した状態を保つことができる。なお、第２部分３０が第２光学系１８を移動させる動作については、後に図１０を参照して説明する。
【００２２】
第２部分３０は、上記した焦点調整軸２０の軸ＡＸ１方向まわりの一方向と、反対方向に回転が規制される。ブリッジ２（図８参照）は、例えば、第２部分３０の回転を規制する部分３９を有する。部分３９は、例えば、第２部分３０の部分３５の上面の一部分３５ａが接触する。部分３５ａ及び部分３９は、例えば、水平面（ＸＹ平面と平行な面）に配置される。これにより、操作部２１による焦点調整軸２０が回転する際に、部分３５ａと部分３９とが接触し、第２部分３０は、焦点調整軸２０の軸ＡＸ１方向まわりにおける−Ｙ方向から見た（対物レンズ１３方向から見た）反時計回りの回転が規制される。第２部分３０が焦点調整軸２０の軸ＡＸ１方向まわりの反時計回りの回転が規制され、且つ第１部分２９が焦点調整軸２０の軸ＡＸ１方向まわりの時計回りの回転が規制されるので、操作部２１が回転する際の操作部２１と焦点調整軸２０とによる移動部材２２（第１部分２９、第２部分３０）の供回りが抑制され、操作部２１が回転しても焦点調整軸２０は回転せずに軸ＡＸ１方向に移動する。このように、第２部分３０は、第２光学系１８を光軸ＡＸ５方向に移動させる役割を有するとともに操作部２１の操作による焦点調整軸２０の回転の供回り防止の役割を有している。第２部分３０は、上記した第２光学系１８を光軸ＡＸ５方向に移動させる役割と焦点調整軸２０の回転による供回り防止の役割との２つの役割を有する場合、この２つの役割を別々の部品で構成する場合よりも部品の数を削減することができるため、双眼鏡１の構成を単純にすることができる。また、部分３９が第２部分３０の部分３５に接触する構成により、第２部分３０の焦点調整軸２０の軸ＡＸ１方向まわりの反時計回りの回転を規制する場合、簡単な構造（構成）であり、且つ双眼鏡１を製造する際において、第２部分３０を簡単に配置することができるため、構成部材の組み付けが容易となって双眼鏡１の製造を簡単にすることができる。さらに、このような第１部分２９及び第２部分３０を用いることにより、ブリッジ２の厚み（Ｚ方向の厚さ）を薄くすることができる。
【００２３】
次に、図４（Ｂ）に示す駆動部材２３について説明する。駆動部材２３は、視度差調整軸５３の周囲に形成される。駆動部材２３は、視度差調整軸５３に対して回転を規制される。すなわち、駆動部材２３は、視度差調整軸５３が回転する際に、視度差調整軸５３と共に回転する。また、駆動部材２３は、視度差調整軸５３の外周に、視度差調整軸５３の軸ＡＸ６方向（Ｙ方向と平行な方向）に移動可能に設けられる。駆動部材２３と視度差調整軸５３とは、例えば、スプライン構造により構成される。
【００２４】
図４（Ｂ）に示す駆動部材２３は、第１部分２９と当接して軸方向（軸ＡＸ６方向）に関して第１部分２９の移動を規制する係止部３２を備える。係止部３２は、視度差調整軸５３の軸ＡＸ６周りに駆動部材２３の外周に形成された溝部３３である。この溝部３３には、上記したように第１部分２９の一部が溝部３３の接線方向に延びた状態で入り込む。これにより、第１部分２９は軸方向（軸ＡＸ６方向）に係止される。この場合、視度差調整軸５３の回転により駆動部材２３が回転しても、係止部３２は第１部分２９を軸ＡＸ６方向に係止する。駆動部材２３は、接続部材２４のねじ山４１と噛み合うねじ山４２を有する。駆動部材２３は、接続部材２４が駆動部材２３に対して移動可能に、接続部材２４と接続される。
【００２５】
次に、接続部材２４について説明する。図４（Ｃ）に示す接続部材２４は、第１光学系１２に接続され、第１光学系１２を光軸に沿って移動させる。接続部材２４は、例えば、部分４４と、部分４５と、部分４６と、を備える。部分４４は、駆動部材２３のねじ山４２と噛み合うねじ山４１を有し、駆動部材２３のねじ山４２と接続される。また、部分４４（図７参照）は、上方（＋Ｚ側）に延びる突起部４８を有する。突起部４８は、視度差調整軸５３の＋Ｘ側に、視度差調整軸５３と平行に形成されるガイド４９に挿入され、Ｙ方向にガイドされる。図４（Ｃ）に示す部分４５は、締結部材３１により部分４４と接続される。部分４６は、例えば、−Ｘ側の端部が、軸ＡＸ２を中心として回転可能に部分４５に接続され、＋Ｘ側の端部が合焦レンズ保持部１７に接続される。駆動部材２３と接続される接続部材２４は、焦点調整軸２０の操作による駆動部材２３の移動によって軸ＡＸ６方向に移動する。これにより、接続部材２４と接続される第１光学系１２の合焦レンズ保持部１７が軸ＡＸ４（図３参照）方向に移動し、焦点が調節される。図４（Ｃ）に示す部分４６は、視度差調整軸５３と平行な軸ＡＸ２を中心として、回転可能である。この場合、接続部材２４は、第１レンズ鏡筒３がブリッジ２に対して回転するのを許容することができる。第１レンズ鏡筒３をブリッジ２に対して回転する際に、部分４６は部分４５に対して回転し、部分４５と第１光学系１２の合焦レンズ保持部１７との接続を維持した状態を保つことができる。なお、焦点調整軸２０による第１光学系１２を移動させる動作については、後に図１０を参照して説明する。また、視度差調整軸５３による第１光学系１２を移動させる動作については、後に図１１を参照して説明する。
【００２６】
また、図１の接続部材２４の−Ｙ側には、弾性部材５１が設けられる。弾性部材５１は、駆動部材２３及び接続部材２４を焦点調整軸２０の軸ＡＸ６の＋Ｙ側に押し付ける。これにより、接続部材２４と駆動部材２３とを、あるいは駆動部材２３と第１部分２９とを、それぞれ、がたつきを抑制して、精度よく接続することができる。がたつきが抑制されるので、例えば操作感をなめらかにすることができる。
【００２７】
次に、視度差調整部６について、説明する。以下、視度差調整部６の説明において、適宜図１および図３〜図９を参照する。視度差調整部６は、視度差を調整する。図１の視度差調整部６は、例えば、視度差調整軸５３と、操作部５４と、駆動部材２３と、接続部材２４と、備える。なお、駆動部材２３及び接続部材２４は、それぞれ焦点調整部５のものと共通であるので、適宜、その説明を簡略化あるいは省略する。
【００２８】
図１の視度差調整軸５３は、例えば、焦点調整軸２０と第１レンズ鏡筒３との間に配置される。視度差調整軸５３は、例えば、焦点調整軸２０と平行に配置される。視度差調整軸５３は、例えば、焦点調整軸２０の軸ＡＸ１と平行な軸ＡＸ６と同軸である。この場合、視度差の調整に関する部分の構造をシンプルかつコンパクトにすることができる。操作部５４は、視度差が調整される際に、ユーザが視度差調整軸５３を回転させる操作を行う部分である。操作部５４は、例えば、焦点調整軸２０の操作部２１と反対側に配置される。操作部５４は、例えば、接眼レンズ１４と反対側（−Ｙ側）に配置される。操作部５４は、軸ＡＸ６方向に、操作部２１と離れた状態で配置される。これにより、操作部２１及び操作部５４は操作性が向上し、また、操作部２１と操作部５４とが離れているため、操作の誤りが抑制される。操作部５４（図６参照）は、視度差調整軸５３と同軸に配置され、視度差調整軸５３と同軸に回転可能である。操作部５４は、視度差調整軸５３と一体に形成され、操作部５４の回転により、視度差調整軸５３が回転する。
【００２９】
駆動部材２３は、視度差調整軸５３に対する回転が規制されており、視度差調整軸５３の回転に伴い回転する。接続部材２４（図４（Ｃ）、図６参照）は、駆動部材２３のねじ山４２と噛み合うねじ山４３を有する。視度差調整軸５３の回転により駆動部材２３が回転すると、接続部材２４は、駆動部材２３に対して軸ＡＸ６方向に移動する。この場合、接続部材２４は軸ＡＸ６方向に移動するが、駆動部材２３は軸ＡＸ６方向に移動しないため、第２光学系１８の合焦レンズ１５に対して、第１光学系１２の合焦レンズ１５が相対的に軸ＡＸ４方向に移動し、視度差の調整が行われる（後に図１１（Ｂ）で説明する）。
【００３０】
次に、双眼鏡１の動作を説明する。まず、双眼鏡１の焦点調整の動作について説明する。図１０は、双眼鏡１の焦点調整の動作を示す図であり、（Ａ）は焦点調整前の状態、（Ｂ）は焦点調整後の状態をそれぞれ示す。なお、図１０（Ｂ）には、一例として、焦点調整軸２０が−Ｙ側に移動して、焦点調整を行う場合の例を示すが、焦点調整軸２０が＋Ｙ側に移動して焦点調整を行う場合、図１０（Ｂ）に示す各部の移動方向が反対になる点以外の動作は同様である。
【００３１】
双眼鏡１において、焦点調整を行う場合、焦点調整軸２０の回転により、第１部分２９、駆動部材２３、及び接続部材２４が軸方向（軸ＡＸ１と平行な方向）に移動して第１光学系１２を光軸ＡＸ４に沿って移動させ、かつ、第２部分３０が軸方向に移動して第２光学系１８を光軸ＡＸ５に沿って移動させる。例えば、まず、図１０（Ｂ）に示すように、操作部２１を操作する。操作部２１の操作により、焦点調整軸２０は、軸ＡＸ１の方向（本例では−Ｙ側）に移動する。この際、焦点調整軸２０は、上記したように、操作部２１との供回りが防止されているので、焦点調整軸２０は回転せずに−Ｙ側に移動する。焦点調整軸２０が−Ｙ側に移動すると、移動部材２２の第１部分２９及び第２部分３０（部分３５、部分３６、部分３７）は、それぞれ、−Ｙ側に移動する。第２部分３０が−Ｙ側に移動することにより、第２光学系１８の合焦レンズ１５も−Ｙ側に移動して焦点調整が行われる。一方、第１部分２９が−Ｙ側に移動すると、駆動部材２３及び接続部材２４（部分４４、部分４５、部分４６）も、それぞれ、−Ｙ側に移動する。接続部材２４が−Ｙ側に移動することにより、第１光学系１２の合焦レンズ１５も−Ｙ側に移動して焦点調整が行われる。なお、第１光学系１２の合焦レンズ１５の−Ｙ側への移動量、及び第２光学系１８の合焦レンズ１５の−Ｙ側への移動量は、それぞれ、焦点調整軸２０の移動量と同じになる。
【００３２】
次に、双眼鏡１の視度差調整の動作について説明する。図１１は、双眼鏡１の視度差調整の動作を示す図であり、（Ａ）は視度差調整前の状態、（Ｂ）は視度差調整後の状態をそれぞれ示す。なお、図１１（Ｂ）には、一例として、視度差調整軸５３が−Ｙ側に移動して、視度差調整を行う場合の例を示すが、視度差調整軸５３が＋Ｙ側に移動して視度差調整を行う場合、図１１（Ｂ）に示す各部の移動方向が反対になる点以外の動作は同様である。
【００３３】
双眼鏡１において、視度差調整を行う場合、視度差調整軸５４の回転により、駆動部材２３が回転して接続部材２４を軸方向（Ｙ方向と平行な方向）に移動させ、第１光学系１２の位置を保持したまま第２光学系１８を光軸ＡＸ５に沿って移動させる。例えば、まず、図１１（Ｂ）に示すように、操作部５４を操作する。操作部５４の操作により、視度差調整軸５３が回転する。視度差調整軸５３が回転すると、視度差調整軸５３と共に駆動部材２３が回転する。駆動部材２３が回転すると、駆動部材２３のねじ山４２と接続部材２４のねじ山４１が噛み合わされるため（図４（Ｂ）、図６参照）、接続部材２４（部分４４、部分４５、部分４６）は、駆動部材２３とともに−Ｙ側に移動する。接続部材２４が−Ｙ側に移動することにより、第１光学系１２の合焦レンズ１５は−Ｙ側に移動する。この際、接続部材２４は−Ｙ側に移動するが、駆動部材２３は移動しない。すなわち、接続部材２４が駆動部材２３に対して相対的に−Ｙ側に移動することにより、第１光学系１２の合焦レンズ１５に対して、第２光学系１８の合焦レンズ１５が、相対的に軸ＡＸ４方向における−Ｙ側に移動して、視度差の調整が行われる。また、この視度差の調整の後、上記に説明した焦点の調整を行うことができる。この場合、視度差の調整後の第２光学系１８の位置（第１光学系１２に対しての第２光学系１８の相対位置）を保持したまま、上記した焦点の調整により、第１光学系１２を光軸ＡＸ４に沿って移動させる。これにより、視度差の調整結果が保持された状態で、焦点の調整が行われる。
【００３４】
以上、説明したように、本実施形態の双眼鏡１は、構造がシンプルで、操作性がよいものである。
【００３５】
［第２実施形態］
次に、第２実施形態について説明する。なお、以下の説明において、上記した実施形態と同様の構成については、同じ符号を付してその説明を簡略化あるいは省略する。また、上記した実施形態において説明した事項のうち、本実施形態に適用可能なものは、適宜本実施形態でも適用する
【００３６】
図１２は、第２実施形態に係る双眼鏡１Ａの＋Ｚ側から見た断面図である。本実施形態の双眼鏡１Ａは、ブリッジ２Ａと、第１レンズ鏡筒３と、第２レンズ鏡筒４と、焦点調整部５Ａと、視度差調整部６Ａと、を備える。双眼鏡１Ａは、中央部分にブリッジ２Ａを有する。ブリッジ２Ａは、双眼鏡１Ａの各部を支持し、双眼鏡１Ａの各部を収容する。ブリッジ２Ａは、少なくとも焦点調整軸２０Ａ、移動部材２２Ａ、視度差調整軸５３、及び駆動部材２３Ａを収容する。第１レンズ鏡筒３及び第２レンズ鏡筒４は、それぞれ、軸ＡＸ１に対して対照に、ブリッジ２Ａの右側、ブリッジ２Ａの左側に配置される。
【００３７】
図１３は、双眼鏡１Ａを＋Ｙ側から見た図である。ブリッジ２Ａは、ブリッジ２ＡＬとブリッジ２ＡＲとを有する。ブリッジ２ＡＬ、ブリッジ２ＡＲは、それぞれ、焦点調整軸２０Ａの軸ＡＸ１（中心軸）を中心として左右に配置される。ブリッジ２ＡＬ、ブリッジ２ＡＲは、それぞれ、焦点調整軸２０Ａを中心として回転可能である。これにより、第１レンズ鏡筒３及び第２レンズ鏡筒４は、それぞれ、焦点調整軸２０Ａを中心として回転可能である。双眼鏡１Ａは、第１レンズ鏡筒３及び第２レンズ鏡筒４を、それぞれ、焦点調整軸２０Ａを中心として回転させることにより、眼幅の調整あるいは折り畳みが可能である。
【００３８】
図１２の説明に戻り、次に双眼鏡１Ａの光学系について説明する。第１レンズ鏡筒３は、第１光学系１２を有する。第１レンズ鏡筒３は、第１光学系１２を内部に保持する。第１光学系１２は、例えば、第１実施形態と同様に、複数の対物レンズ１３、複数の接眼レンズ１４、合焦レンズ１５及び正立プリズム１６を含む。合焦レンズ１５は、合焦レンズ保持部１７に保持され、合焦レンズ保持部１７は、合焦レンズ１５を保持した状態で第１レンズ鏡筒３内を光軸ＡＸ４方向に移動可能である。合焦レンズ１５は、光軸ＡＸ４の方向に移動し、第１光学系１２の焦点を調整する。また、合焦レンズ１５は、光軸ＡＸ４の方向に移動し、視度差を調整する。
【００３９】
第２レンズ鏡筒４は、第２光学系１８を有する。第２レンズ鏡筒４は、第２光学系１８を内部に保持する。第２光学系１８は、第１光学系１２と同様であり、複数の対物レンズ１３、複数の接眼レンズ１４、合焦レンズ１５及び正立プリズム１６を含む。第２光学系１８の合焦レンズ１５は、光軸ＡＸ５方向に移動し、第２光学系１８の焦点を調整する。
【００４０】
次に、焦点調整部５Ａについて説明する。焦点調整部５Ａは、第１光学系１２及び第２光学系１８の焦点を調整する。焦点調整部５Ａは、例えば、焦点調整軸２０Ａと、操作部２１と、移動部材２２Ａと、駆動部材２３Ａと、接続部材２４Ａと、を備える。以下、焦点調整部５Ａの説明において、適宜、図１２、図１４〜図１６を参照する。図１４は、図１２に示すＧ−Ｇ線に沿った断面を＋Ｙ方向から見た断面図である。図１５は、図１２に示すＨ−Ｈ線に沿った断面を＋Ｙ方向から見た断面図である。図１６は、図１２に示すＩ−Ｉ線に沿った断面を＋Ｙ方向から見た断面図である。
【００４１】
図１２の焦点調整軸２０Ａは、ブリッジ２Ａに収容され、第１レンズ鏡筒３と第２レンズ鏡筒４との間のほぼ中央に配置される。焦点調整軸２０Ａ（図１４参照）は、例えば、Ｙ方向に平行な軸ＡＸ１と同軸に配置される。操作部２１は、焦点が調整される際に、ユーザが焦点調整軸２０Ａを回転させる操作を行う部分である。操作部２１は、例えば、ブリッジ２Ａの＋Ｙ側（接眼レンズ１４側）に配置される。操作部２１は、焦点調整軸２０Ａの軸ＡＸ１と同軸に配置され、焦点調整軸２０Ａと同軸に回転可能である。操作部２１（図１２参照）は、ねじ山２８を有し、ねじ山２８は、焦点調整軸２０Ａのねじ山２７と噛み合わされる。操作部２１は、軸ＡＸ１方向の位置が規制される。また、焦点調整軸２０Ａは、例えば、焦点調整軸２０Ａの中心軸ＡＸ１まわりの回転が規制される。焦点調整軸２０Ａは、例えば、図１６に示すように、下部（−Ｚ方向の部分）に部分５７を有する。部分５７は、例えば、下方に延びる突起を有する凸部を有する。部分５７は、その凸部がブリッジ２Ａのガイド部５８に接続される。ガイド部５８は、例えば、部分５７を、軸ＡＸ１と直交する方向の移動を規制し、且つ軸ＡＸ１と平行の方向にガイドする。例えば、ガイド部５８は、例えば、軸ＡＸ１と平行に延び且つ下方に凹んだ凹部を有する。ガイド部５８の凹部には、部分５７の凸部が嵌めあわされる。上記した焦点調整軸２０Ａとブリッジブリッジ２Ａの構成により、焦点調整軸２０Ａの中心軸ＡＸ１まわりの回転が規制され、焦点調整軸２０Ａは、中心軸ＡＸ１と平行な方向に移動可能になる。これにより、操作部２１と焦点調整軸２０Ａとの供回りが防止される。このように、焦点調整軸２０Ａは、操作部２１の回転により操作部２１のねじ山２７が回転すると、軸ＡＸ１まわりの回転が規制され、軸ＡＸ１方向（Ｙ方向と平行な方向）に移動する。また、焦点調整軸２０Ａの中心軸ＡＸ１まわりの回転をブリッジ２Ａにより規制する場合、簡単な構成で、操作部２１と焦点調整軸２０Ａとの供回りを防止することができる。
【００４２】
図１２の移動部材２２Ａは、第１光学系１２を移動させるための第１部分２９Ａと、第２光学系１８に接続され、第２光学系１８を移動させるための第２部分３０Ａと、を備える。第１部分２９Ａは、焦点調整軸２０Ａと駆動部材２３Ａとを接続する。第１部分２９Ａは、焦点調整軸２０Ａに対して、その中心軸ＡＸ１まわりに回転可能である。第１部分２９Ａは、例えば、−Ｘ側が焦点調整軸２０Ａの軸ＡＸ１に対して回転可能に取り付けられる。これにより、第１レンズ鏡筒３は、焦点調整軸２０Ａを中心として回転可能になる。また、図１２の第１部分２９Ａは、焦点調整軸２０Ａの係止部６１、６２及び第２部分３０Ａの部分６４により、焦点調整軸２０Ａに対して軸ＡＸ１方向の移動が規制されるように取り付けられている。これにより、第１部分２９Ａは、焦点調整軸２０Ａの軸ＡＸ１方向の移動と共に移動する。また、第１部分２９Ａ（図１４参照）は、例えば、＋Ｘ側が溝部３３の接線方向に延びた状態で溝部３３の下部に入り込む板状に形成される。この場合、ブリッジ２Ａを焦点調整軸２０Ａに対して回転する場合においても、第１部分２９Ａは、焦点調整軸２０Ａと駆動部材２３Ａとを接続することができる。
【００４３】
図１２の第２部分３０Ａは、例えば、部分６４と、部分６５と、を有する。部分６４は、焦点調整軸２０Ａの軸ＡＸ１に対して回転可能に取り付けられる（図１５参照）。また、部分６４は、焦点調整軸２０Ａの係止部６１、６２により、焦点調整軸２０Ａに対して軸ＡＸ１方向の移動が規制されるように取り付けられている。これにより、部分６４は、焦点調整軸２０Ａの軸ＡＸ１方向の移動と共に移動する。第２部分３０Ａは、焦点調整軸２０Ａの軸ＡＸ１方向の移動と共に移動し、第２光学系１８の合焦レンズ保持部１７を軸ＡＸ５方向に移動させる。部分６５は、例えば、部分６４及び第２光学系１８の合焦レンズ保持部１７のそれぞれに対して回転自在に接続される。部分６５は、例えば、自在継手（ユニバーサルジョイント）である。この場合、ブリッジ２ＡＬを焦点調整軸２０Ａに対して回転する場合においても、第２部分３０Ａは、焦点調整軸２０Ａと第２光学系１８の合焦レンズ保持部１７とを確実に接続することができる。なお、第２部分３０Ａが第２光学系１８を移動させる動作については、後に図１７において説明する。
【００４４】
次に、駆動部材２３Ａについて説明する。図１２の駆動部材２３Ａは、視度差調整軸５３の周囲に形成される（図１４参照）。駆動部材２３Ａは、視度差調整軸５３に対して回転が規制される。駆動部材２３Ａは、視度差調整軸５３が回転する際に、視度差調整軸５３とともに回転する。また、駆動部材２３Ａは、視度差調整軸５３の外周に、視度差調整軸５３の軸ＡＸ６方向（Ｙ方向と平行な方向）に移動可能に設けられる。駆動部材２３Ａと視度差調整軸５３とは、例えば、スプライン構造により構成される。
【００４５】
駆動部材２３Ａは、第１部分２９Ａ当接して軸ＡＸ６方向に関して第１部分２９Ａの移動を規制する係止部３２を備える。係止部３２は、第１実施形態と同様に、視度差調整軸５３の軸ＡＸ６周りに駆動部材２３Ａの外周に形成された溝部３３である。この溝部３３には、第１部分２９Ａの一部が溝部３３の接線方向に延びた状態で入り込む。これにより、第１部分２９Ａは軸ＡＸ６方向に係止される。この場合、視度差調整軸５３の回転により駆動部材２３Ａが回転しても、係止部３２は第１部分２９Ａを軸ＡＸ６方向に係止することができる。駆動部材２３Ａは、ねじ山４２を有し、ネジ山４２は、接続部材２４Ａのねじ山４１と噛み合う。これにより、駆動部材２３Ａは、接続部材２４Ａが駆動部材２３Ａに対して移動可能に、接続部材２４Ａと接続することができる。
【００４６】
次に、接続部材２４Ａについて説明する。接続部材２４Ａは、第１実施形態と同様に、第１光学系１２に接続され、第１光学系１２を光軸ＡＸ４に沿って移動させる。接続部材２４Ａは、例えば、部分６６と、部分６７と、を備える。部分６６は、上記したように、駆動部材２３Ａのねじ山４１と噛み合うねじ山４２を有し、駆動部材２３Ａと接続される。これにより、部分６６は、駆動部材２３Ａの軸ＡＸ６方向の移動と共に移動する。接続部材２４Ａは、焦点調整軸２０Ａの回転により、焦点調整軸２０Ａに対して軸ＡＸ１方向に移動し、第１光学系１２の合焦レンズ保持部１７を軸ＡＸ４の方向に移動させる。部分６７は、例えば、部分６６及び合焦レンズ保持部１７のそれぞれに対して回転自在に接続される。部分６７は、例えば、自在継手である。この場合、ブリッジ２ＡＲを焦点調整軸２０Ａに対して回転する場合においても、第２部分３０Ａは、焦点調整軸２０Ａと第１光学系１２の合焦レンズ保持部１７とを確実に接続することができる。なお、接続部材２４Ａが第１光学系１２を移動させる動作については、後に図１７において説明する。
【００４７】
また、図１２に示すように、接続部材２４Ａの−Ｙ側には、弾性部材５１が設けられる。弾性部材５１は、駆動部材２３Ａ及び接続部材２４Ａを視度差調整軸５３の＋Ｙ側に押し付ける。これにより、接続部材２４Ａと駆動部材２３Ａとを、あるいは駆動部材２３Ａと第１部分２９Ａとを、それぞれ、がたつきを抑制して接続することができる。がたつきが抑制されるので、操作感をなめらかにすることができる。
【００４８】
次に、視度差調整部６Ａについて、説明する。以下、視度差調整部６Ａの説明において、適宜、図１２、図１４〜図１６を参照する。視度差調整部６Ａは、視度差を調整する。図１２の視度差調整部６Ａは、視度差調整軸５３と、操作部５４と、駆動部材２３Ａと、接続部材２４Ａと、備える。なお、駆動部材２３Ａ及び接続部材２４Ａは、それぞれ、焦点調整部５Ａと共通であるので、適宜、説明の一部を簡略化あるいは省略する。
【００４９】
視度差調整軸５３は、例えば、焦点調整軸２０Ａと第１レンズ鏡筒３との間に配置される。視度差調整軸５３は、例えば、焦点調整軸２０Ａと平行に配置される。視度差調整軸５３は、例えば、焦点調整軸２０Ａの軸ＡＸ１と平行な軸ＡＸ６と同軸である。この場合、視度差の調整に関する部分の構造をシンプルかつコンパクトにすることができる。操作部５４は、視度差が調整される際に、ユーザが視度差調整軸５３を回転させる操作を行う部分である。操作部５４は、例えば、焦点調整軸２０Ａの操作部２１と反対側に配置される。操作部５４は、例えば、接眼レンズ１４と反対側（−Ｙ側）に配置される。操作部５４は、軸ＡＸ６方向に、操作部２１と離れた状態で配置される。これにより、操作部２１及び操作部５４は操作性が向上し、また、操作部２１と操作部５４とが離れているため、操作の誤りが抑制される。操作部５４は、視度差調整軸５３の軸ＡＸ６と同軸に配置され、視度差調整軸５３と同軸に回転可能である。操作部５４は、視度差調整軸５３と一体に形成され、操作部５４の回転により、視度差調整軸５３が回転する。
【００５０】
駆動部材２３Ａは、視度差調整軸５３に対する回転が規制されており、視度差調整軸５３の回転に伴い回転する。接続部材２４Ａは、そのねじ山４２が駆動部材２３Ａのねじ山４１と噛み合う。視度差調整軸５３の回転に伴って駆動部材２３Ａが回転すると、接続部材２４Ａは、駆動部材２３Ａに対して軸ＡＸ６方向に移動する。この場合、接続部材２４Ａは軸ＡＸ６方向に移動するが、駆動部材２３Ａは軸ＡＸ６方向に移動しないため、第２光学系１８の合焦レンズ１５に対して、第１光学系１２の合焦レンズ１５が相対的に軸ＡＸ４方向に移動し、視度差の調整が行われる。
【００５１】
次に、双眼鏡１Ａの動作を説明する。まず、双眼鏡１Ａの焦点調整の動作について説明する。図１７は、双眼鏡１の焦点調整の動作を示す図であり、（Ａ）は焦点調整前の状態、（Ｂ）は焦点調整後の状態をそれぞれ示す。なお、図１７（Ｂ）には、一例として、焦点調整軸２０Ａが＋Ｙ側に移動して、焦点調整を行う場合の例を示すが、焦点調整軸２０Ａが−Ｙ側に移動して焦点調整を行う場合、図１７（Ｂ）に示す各部の移動方向が反対になる点以外の動作は同様である。
【００５２】
双眼鏡１Ａにおいて、焦点調整を行う場合、焦点調整軸２０Ａの回転により、第１部分２９Ａ、駆動部材２３Ａ、及び接続部材２４Ａが軸方向（軸ＡＸ１と平行な方向）に移動して第１光学系１２を光軸ＡＸ４に沿って移動させ、かつ、第２部分３０が軸方向に移動して第２光学系１８を光軸ＡＸ５に沿って移動させる。例えば、まず、図１７（Ｂ）に示すように、操作部２１を操作する。操作部２１の操作により、焦点調整軸２０Ａは、軸ＡＸ１方向（本例では、＋Ｙ側）に移動する。この際、焦点調整軸２０Ａは、上記したように、操作部２１との供回りが防止されているので、焦点調整軸２０Ａは回転せずに＋Ｙ側に移動する。焦点調整軸２０Ａが＋Ｙ側に移動すると、移動部材２２Ａの第１部分２９Ａ及び第２部分３０Ａ（部分６４、部分６５）は、それぞれ、＋Ｙ側に移動する。第２部分３０Ａが＋Ｙ側に移動することにより、第２光学系１８の合焦レンズ１５も＋Ｙ側に移動して焦点調整が行われる。また、第１部分２９Ａが＋Ｙ側に移動すると、駆動部材２３Ａ及び接続部材２４Ａ（部分６６、部分６７）も、それぞれ、＋Ｙ側に移動する。接続部材２４Ａが＋Ｙ側に移動することにより、第１光学系１２の合焦レンズ１５も＋Ｙ側に移動して焦点調整が行われる。なお、第１光学系１２の合焦レンズ１５の＋Ｙ側への移動量、及び第２光学系１８の合焦レンズ１５の＋Ｙ側への移動量は、それぞれ、焦点調整軸２０Ａの移動量と同じになる。
【００５３】
次に、双眼鏡１Ａの視度差調整の動作について説明する。図１８は、双眼鏡１Ａの視度差調整の動作を示す図であり、（Ａ）は視度差調整前の状態、（Ｂ）は視度差調整後の状態をそれぞれ示す。なお、図１８（Ｂ）には、一例として、視度差調整軸５３が＋Ｙ側に移動して、視度差調整を行う場合の例を示すが、視度差調整軸５３が−Ｙ側に移動して視度差調整を行う場合、図１８（Ｂ）に示す各部の移動方向が反対になる点以外の動作は同様である。
【００５４】
双眼鏡１Ａにおいて、視度差調整を行う場合、視度差調整軸５４の回転により、駆動部材２３Ａが回転して接続部材２４Ａを軸方向（Ｙ方向と平行な方向）に移動させ、第１光学系１２の位置を保持したまま第２光学系１８を光軸ＡＸ５に沿って移動させる。例えば、まず、図１８（Ｂ）に示すように、操作部５４を操作する。操作部５４の操作により、視度差調整軸５３は回転する。視度差調整軸５３が回転すると、視度差調整軸５３と共に駆動部材２３Ａが回転する。駆動部材２３Ａが回転すると、駆動部材２３Ａのねじ山４１と接続部材２４Ａのねじ山４２が噛み合わされるため、接続部材２４Ａ（部分６６、部分６７）は、それぞれ、＋Ｙ側に移動する。接続部材２４Ａが＋Ｙ側に移動することにより、第１光学系１２の合焦レンズ１５は＋Ｙ側に移動する。この際、接続部材２４Ａは＋Ｙ側に移動するが、駆動部材２３Ａは移動しない。すなわち、接続部材２４Ａが駆動部材２３Ａに対して相対的に＋Ｙ側に移動することにより、第２光学系１８の合焦レンズ１５に対して、第１光学系１２の合焦レンズ１５が相対的に軸ＡＸ４方向における＋Ｙ側に移動して、視度差の調整が行われる。また、この視度差の調整の後、上記に説明した焦点の調整を行うことができる。この場合、視度差の調整後の第２光学系１８の位置（第１光学系１２に対しての第２光学系１８の相対位置）を保持したまま、上記した焦点の調整により、第１光学系１２を光軸ＡＸ４に沿って移動させる。これにより、視度差の調整結果が保持された状態で、焦点の調整が行われる。
【００５５】
以上、説明したように、本実施形態の双眼鏡１Ａは、構造がシンプルで、操作性がよいものである。
【００５６】
なお、本発明の技術範囲は、上述の実施形態などで説明した態様に限定されるものではない。上述の実施形態などで説明した要件の１つ以上は、省略されることがある。また、上述の実施形態などで説明した要件は、適宜組み合わせることができる。また、法令で許容される限りにおいて、上述の実施形態などで引用した全ての文献の開示を援用して本文の記載の一部とする。
【符号の説明】
【００５７】
１、１Ａ・・・双眼鏡、２、２Ａ・・・ブリッジ、３・・・第１レンズ鏡筒、４・・・第２レンズ鏡筒、１２・・・第１光学系、１３・・・対物レンズ、１４・・・接眼レンズ、１８・・・第２光学系、２０、２０Ａ・・・焦点調整軸、２１・・・操作部（焦点調整軸）、２２、２２Ａ・・・移動部材、２３、２３Ａ・・・駆動部材、２４、２４Ａ・・・接続部材、２９、２９Ａ・・・第１部分、３０、３０Ａ・・・第２部分、３２・・・係止部、３３・・・溝部、５１・・・弾性部材、５３・・・視度差調整軸、５４・・・操作部（視度差調整軸）
【図１】
0006701370.tif 000002
【図２】
0006701370.tif 000003
【図３】
0006701370.tif 000004
【図４】
0006701370.tif 000005
【図５】
0006701370.tif 000006
【図６】
0006701370.tif 000007
【図７】
0006701370.tif 000008
【図８】
0006701370.tif 000009
【図９】
0006701370.tif 000010
【図１０】
0006701370.tif 000011
【図１１】
0006701370.tif 000012
【図１２】
0006701370.tif 000013
【図１３】
0006701370.tif 000014
【図１４】
0006701370.tif 000015
【図１５】
0006701370.tif 000016
【図１６】
0006701370.tif 000017
【図１７】
0006701370.tif 000018
【図１８】
0006701370.tif 000019